(57)【特許請求の範囲】
【請求項１】
空気調和機の室内機において高電圧を印加することによりイオン化された塵埃を電気的に集塵することのできる空気清浄装置の保持枠と前記保持枠の端部に配設された高圧電源部と前記高圧電源部からの高電圧端子とアース端子とを具備し、前記高電圧端子とアース端子との接点部を持つ取り外し自在のフィルタ本体を有し、前記高電圧端子とアース端子のうち少なくとも１つの端子には導電性を有する弾性体で構成し、前記弾性力を持つ端子の先端は、前記高圧電源部の配設部と前記フィルタ本体の挿入部との仕切壁より突出するように前記保持枠に配設され、前記保持枠の反対側に前記フィルタ本体を挟み込み、前記フィルタ本体の接点部とは反対側の側面に設けられた凸部と嵌合する凹部を形成した壁を具備し、前記フィルタ本体取り付け時には、前記弾性力を持つ端子の弾力性を利用して保持し、かつ前記フィルタ本体の前記接点部が設けられた側面に、前記保持枠の前記接点の突出している箇所に形成されている仕切壁を、前記フィルタ本体の側面とともに前記フィルタ本体取り付け方向より挟み、かつ前記接点部を覆うリブを形成し、さらにフィルタ本体の後面に断面略三角形状の突起を形成し、前記フィルタ本体取り付け時に、前記保持枠の受け部の桟端部と前記突起表面が係合状態となる空気調和機の電気空気清浄装置。
【請求項２】
フィルタ本体の接点部が設けられた側面と反対側の側面に、前記保持枠の壁を挟み込むリブを形成した請求項１記載の空気調和機の電気空気清浄装置。
【発明の詳細な説明】
【０００１】
【発明の属する技術分野】
本発明は空気調和機の電気空気清浄装置に関するものである。
【０００２】
【従来の技術】
従来の空気調和機の電気空気清浄装置について図面と共に説明する。図６は従来の空気調和機に搭載した電気空気清浄装置の正面図を示す。また図７は従来の空気調和機に搭載した電気空気清浄装置の下面図を示す。
【０００３】
第６図において高電圧を印加することによりイオン化された塵埃を電気的に集塵するこ
とのできる空気清浄装置の保持枠１と前記保持枠１の端部に配設された高圧電源部２と前記高圧電源部２からの高電圧端子３とアース端子４とを具備し、前記２つの端子との接点部５ａを持つ取り外し自在のフィルタ本体５を有し、前記２つの端子３、４のうち少なくとも１つの端子にコイルバネ４ａを接続する、またはイタバネ３ａ等を利用し弾性力をもたせ、前記高圧電源部２の配設部と前記フィルタ本体５の挿入部との仕切壁１ａより前記弾力性を持つ端子３、４の先端を突出させるように前記保持枠１に配設されている。
【０００４】
その反対側には前記フィルタ本体５を挟み込み、かつ保持するように前記保持枠１に壁１ｂを具備し、第７図に示すとおり、前記フィルタ本体５取り付け時には、接点部５ａとは反対側の側面に設けられた凸形状５ｂを前記保持枠１の壁１ｂに設けられた凹形状１ｃに合致させ、かつ前記端子３または４の弾力性を利用して保持する構成となっていた。
【０００５】
【発明が解決しようとする課題】
しかしながら、上記のような従来の技術においては部品の成形状態のばらつきや空気調和機の運転状態で環境温度の変化等により部品が膨張・収縮し、保持枠に配設された高電圧部からの端子３、４とフィルタ本体５の接点部５ａの接触状態が不安定になり、また接点圧の変化によってフィルタ本体５の保持力の確保ができなくなり、落下の可能性があるといった課題があった。
【０００６】
本発明はこのような課題を解決するものであり、保持枠１に配設された高電圧電源部２からの端子とフィルタ本体５の接点部５ａとの接触を安定させ、フィルタ本体５の落下の可能性を回避することを目的としたものである。
【０００７】
【課題を解決するための手段】
上記目的を達成するために、本発明は、空気調和機の室内機において高電圧を印加することによりイオン化された塵埃を電気的に集塵することのできる空気清浄装置の保持枠と前記保持枠の端部に配設された高圧電源部と前記高圧電源部からの高電圧端子とアース端子とを具備し、前記高電圧端子とアース端子との接点部を持つ取り外し自在のフィルタ本体を有し、前記高電圧端子とアース端子のうち少なくとも１つの端子に弾性体による弾性力を持たせ、前記弾性力を持つ端子の先端は、前記高圧電源部の配設部と前記フィルタ本体の挿入部との仕切壁より突出するように前記保持枠に配設され、前記保持枠の反対側に前記フィルタ本体を挟み込み、前記フィルタ本体の接点部とは反対側の側面に設けられた凸部と嵌合する凹部を形成した壁を具備し、前記フィルタ本体取り付け時には、前記弾性力を持つ端子の弾力性を利用して保持し、かつ前記フィルタ本体の前記接点部が設けられた側面に、前記保持枠の前記接点の突出している箇所に形成されている仕切壁を、前記フィルタ本体の側面とともに前記フィルタ本体取り付け方向より挟み、かつ前記接点部を覆うリブを形成し、さらにフィルタ本体の後面に断面略三角形状の突起を形成し、前記フィルタ本体取り付け時に、前記保持枠の受け部の桟端部と前記突起表面が係合状態としたものである。
【０００８】
この構成によれば、部品の成形状態のばらつきや空気調和機の運転状態で環境温度の変化等により部品が膨張・収縮した場合にも、接点の接触状態を確保することができ、安定させることが可能であり、一定の接点圧を確保することにより、フィルタ本体と保持枠との取り付け状態を維持・固定し、フィルタ本体の落下を防止できる。またフィルタ本体を取り外しする際も保持枠の取り付け角度にそって手前に引き出すことで容易であり、操作性を悪化させることなく、シンプルな構成により、金型構成を複雑にせず、また成形状態の管理を容易化することが可能となるという効果を奏する。
【０００９】
【発明の実施の形態】
請求項１に記載の本発明は空気調和機の室内機において高電圧を印加することによりイ
オン化された塵埃を電気的に集塵することのできる空気清浄装置の保持枠と前記保持枠の端部に配設された高圧電源部と前記高圧電源部からの高電圧端子とアース端子とを具備し、前記高電圧端子とアース端子との接点部を持つ取り外し自在のフィルタ本体を有し、前記高電圧端子とアース端子のうち少なくとも１つの端子に弾性体による弾性力を持たせ、前記弾性力を持つ端子の先端は、前記高圧電源部の配設部と前記フィルタ本体の挿入部との仕切壁より突出するように前記保持枠に配設され、前記保持枠の反対側に前記フィルタ本体を挟み込み、前記フィルタ本体の接点部とは反対側の側面に設けられた凸部と嵌合する凹部を形成した壁を具備し、前記フィルタ本体取り付け時には、前記弾性力を持つ端子の弾力性を利用して保持し、かつ前記フィルタ本体の前記接点部が設けられた側面に、前記保持枠の前記接点の突出している箇所に形成されている仕切壁を、前記フィルタ本体の側面とともに前記フィルタ本体取り付け方向より挟み、かつ前記接点部を覆うリブを形成し、さらにフィルタ本体の後面に断面略三角形状の突起を形成し、前記フィルタ本体取り付け時に、前記保持枠の受け部の桟端部と前記突起表面が係合状態としたものである。
【００１０】
この構成によれば、部品の成形状態のばらつきや空気調和機の運転状態で環境温度の変化等により部品が膨張・収縮した場合にも、接点の接触状態を確保することができ、安定させることが可能であり、一定の接点圧を確保することにより、フィルタ本体と保持枠との取り付け状態を維持・固定し、フィルタ本体の落下を防止できる。またフィルタ本体を取り外しする際も保持枠の取り付け角度にそって手前に引き出すことで容易であり、操作性を悪化させることなく、シンプルな構成により、金型構成を複雑にせず、また成形状態の管理を容易化することが可能となるという効果を奏する。
【００１１】
また、部品の成形状態のばらつきや空気調和機の運転状態で環境温度の変化等により部品が膨張・収縮した場合にも、接点の接触状態を確保することができ、安定させることが可能であり、一定の接点圧を確保することにより、フィルタ本体と保持枠との取付状態を維持・固定し、さらにフィルタ本体の突起形状を保持枠の受け部の桟に引っ掛けることにより上下方向での固定力が加わり、フィルタ本体の凸形状と保持枠の壁に設けられた凹形状を廃止しても安定して前記フィルタ本体の落下を防止できる。また前記フィルタ本体を取り外しする際も前記保持枠の取り付け角度にそって手前に引き出すことで容易であり、保持枠の両サイドの壁にそってフィルタ本体を出し入れすることにより操作性を安定させ、さらに突起形状が保持枠の受け部の桟を乗り越える際にクリック感を得ることが可能である。またシンプルな構成により、さらに金型構成を簡単にでき、また成形状態の管理を容易化することが可能となるという効果を奏する。
【００１２】
また請求項２に記載の本発明は請求項１に記載の空気清浄装置において、フィルタ本体の接点部が設けられた側面と反対側の側面に、前記保持枠の壁を挟み込むリブを形成したものである。
【００１３】
この構成によれば、部品の成形状態のばらつきや空気調和機の運転状態で環境温度の変化等により部品が膨張・収縮した場合にも、接点の接触状態を確保することができ、安定させることが可能であり、一定の接点圧を確保することにより、フィルタ本体と保持枠との取り付け状態を維持・固定し、フィルタ本体の落下を防止できる。またフィルタ本体を取り外しする際も保持枠の取り付け角度にそって手前に引き出すことで容易であり、さらに保持枠の両サイドの壁にそってフィルタ本体を出し入れすることにより操作性を安定させることができ、シンプルな構成により、金型構成を複雑にせず、また成形状態の管理を容易化することが可能となるという効果を奏する。
（実施の形態１）
以下、本発明の実施の形態について図面を参照しながら説明する。
【００１４】
図１は本実施の形態における空気調和機の電気空気清浄装置の例を示す正面図である。
図２は本実施例の空気調和機の電気空気清浄装置の例を示す下面図である。図４は本実施例の空気調和機の電気空気清浄装置の例を示す斜視図である。図５は本実施例の空気調和機の電気空気清浄装置の例を示す室内機の斜視図である。
【００１５】
基本的な構成は図６、７に示した従来の装置と同じ構成であるので、同一構成部品には同一番号を付している。第５図に示すように室内機６に取り付けられた高電圧を印加することによりイオン化された塵埃を電気的に集塵することのできる空気清浄装置において、図１に示すように前記空気清浄装置の保持枠１と前記保持枠１の端部に配設された高圧電源部２と前記高圧電源部２からの高電圧端子３とアース端子４とを具備し、前記２つの端子との接点部５ａを持つ取り外し自在のフィルタ本体５を有し、前記２つの端子３、４のうち少なくとも１つの端子にコイルバネ４ａを接続する、またはイタバネ３ａ等を利用し弾力性をもたせ、前記高圧電源部２の配設部と前記フィルタ本体５の挿入部との仕切壁１ａより前記弾力性を持つ端子３、４の先端を突出させるように前記保持枠１に配設されている。
【００１６】
その反対側に前記フィルタ本体５を挟み込み、かつ保持するように前記保持枠１に壁１ｂを具備し、図２、４に示すように、前記フィルタ本体５取り付け時には、接点部５ａとは反対側の側面に設けられた凸部５ｂを前記保持枠１の壁１ｂに設けられた凹部１ｃに合致させ、かつ前記端子３または４の弾力性を利用して保持し、かつ前記フィルタ本体５の接点部５ａが設けられた側面上部５ｃより水平方向へ延出し、かつその先端より垂直に下方向へ延びるリブ５ｄを設け、前記フィルタ本体５の接点部５ａを設けた側面５ｅと前記リブ５ｄとの間に前記保持枠１の接点３、４の突出している仕切壁１ａを挟み込むように構成するものである。
【００１７】
このように構成された電気空気清浄装置において、部品の成形状態のばらつきや空気調和機の運転状態で環境温度の変化等により部品が膨張・収縮した場合にも、前記保持枠１に配設された前記高電圧部２からの端子３、４と前記フィルタ
本体５の接点部５ａとの接触状態を確保することができ、安定させることが可能であり、前記端子３、４より一定の接点圧を確保することにより、前記フィルタ本体５と前記保持枠１との取り付け状態を維持・固定し、前記フィルタ本体５の落下を防止できる。
【００１８】
また前記フィルタ本体５を取り外しする際も前記保持枠１の取付角度にそって手前に引き出すことで容易であり、操作性を悪化させることなく、シンプルな構成により、金型構成を複雑にせず、また成形状態の管理を容易化することが可能である。
【００１９】
以下の説明において基本的には上述した図１、２、４、５に示した構成と同様であるので図１、２、４、５を共用し、詳細な説明を省略する。
（実施の形態２）
実施の形態１の電気空気清浄装置において、前記フィルタ本体５の接点部５ａが設けられた側面と反対側の側面上部５ｆより水平方向へ延出し、かつその先端より垂直に下方向へ延びるリブ５ｇを設け、前記保持枠１の前記フィルタ本体５を挟み込み、かつ保持するように設けられた壁１ｂを挟み込むように形状を構成するものである。
【００２０】
このように構成された電気空気清浄装置において、部品の成形状態のばらつきや空気調和機の運転状態で環境温度の変化等により部品が膨張・収縮した場合にも、前記保持枠１に配設された前記高電圧部２からの端子３、４と前記フィルタ
本体５の接点部５ａとの接触状態を確保することができ、安定させることが可能であり、前記端子３、４より一定の接点圧を確保することにより、前記フィルタ本体５と前記保持枠１との取り付け状態を維持・固定し、前記フィルタ本体５の落下を防止できる。また前記フィルタ本体５を取り外しする際も前記保持枠１の取り付け角度にそって手前に引き出
すことで容易であり、さらに前記保持枠の仕切壁１ａと壁１ｂにそって前記フィルタ本体５を出し入れすることにより操作性を安定させることができ、シンプルな構成により、金型構成を複雑にせず、また成形状態の管理を容易化することが可能である。
【００２１】
図３は本実施の形態３における空気調和機の電気空気清浄装置の例を示す断面図である。実施の形態２の電気空気清浄装置において、前記フィルタ本体５の下面より逆三角形の複数個の突起５ｈを設け、前記保持枠１のフィルタ本体５挿入部の受け部の桟１ｄを乗り越えさせ、前記フィルタ本体５取り付け時には、前記保持枠１の受け部の桟１ｄ端部と突起５ｈの表面が係合するように構成するものである。
【００２２】
このように構成された電気空気清浄装置において、部品の成形状態のばらつきや空気調和機の運転状態で環境温度の変化等により部品が膨張・収縮した場合にも、前記保持枠１に配設された前記高電圧部２からの端子３、４と前記フィルタ
本体５の接点部５ａとの接触状態を確保することができ、安定させることが可能であり、前記端子３、４より一定の接点圧を確保することにより、前記フィルタ本体５と前記保持枠１との取り付け状態を維持・固定し、さらに前記フィルタ本体５の突起５ｈ表面を前記保持枠１の受け部の桟１ｄ端部に係合することにより上下方向での固定力が加わり、前記フィルタ本体５の凸形状５ｂと前記保持枠１の壁１ｂに設けられた凹形状１ｃを廃止しても安定して前記フィルタ本体５の落下を防止できる。
【００２３】
また前記フィルタ本体５を取り外しする際も前記保持枠１の取り付け角度にそって手前に引き出すことで容易であり、保持枠の仕切壁１ａと壁１ｂにそってフィルタ本体５を出し入れすることにより操作性を安定させ、さらに前記突起形状５ｈが前記保持枠１の受け部の桟１ｄを乗り越える際にクリック感を得ることが可能である。
【００２４】
またシンプルな構成により、さらに金型構成を簡単にでき、また成形状態の管理を容易化することが可能である。
【００２５】
【発明の効果】
以上の説明から明らかなように、請求項１に記載の発明は、空気調和機の室内機において高電圧を印加することによりイオン化された塵埃を電気的に集塵することのできる空気清浄装置の保持枠と前記保持枠の端部に配設された高圧電源部と前記高圧電源部からの高電圧端子とアース端子とを具備し、前記高電圧端子とアース端子との接点部を持つ取り外し自在のフィルタ本体を有し、前記高電圧端子とアース端子のうち少なくとも１つの端子に弾性体による弾性力を持たせ、前記弾性力を持つ端子の先端は、前記高圧電源部の配設部と前記フィルタ本体の挿入部との仕切壁より突出するように前記保持枠に配設され、前記保持枠の反対側に前記フィルタ本体を挟み込み、前記フィルタ本体の接点部とは反対側の側面に設けられた凸形状と嵌合する凹形状を形成した壁を具備し、前記フィルタ本体取り付け時には、前記弾性力を持つ端子の弾力性を利用して保持し、かつ前記フィルタ本体の前記接点部が設けられた側面に、前記保持枠の前記接点の突出している箇所に形成されている仕切壁を、前記フィルタ本体の側面とともに前記フィルタ本体取り付け方向より挟み、かつ前記接点部を覆うリブを形成したものである。
【００２６】
この構成によれば、部品の成形状態のばらつきや空気調和機の運転状態で環境温度の変化等により部品が膨張・収縮した場合にも、接点の接触状態を確保することができ、安定させることが可能であり、一定の接点圧を確保することにより、フィルタ本体と保持枠との取り付け状態を維持・固定し、フィルタ本体の落下を防止できる。またフィルタ本体を取り外しする際も保持枠の取り付け角度にそって手前に引き出すことで容易であり、操作性を悪化させることなく、シンプルな構成により、金型構成を複雑にせず、また成形状態の管理を容易化することが可能となるという効果を奏する。
【００２７】
また請求項２に記載の本発明は請求項１に記載の空気清浄装置において、フィルタ本体の接点部が設けられた側面と反対側の側面に、前記保持枠の壁を挟み込むリブを形成したものである。
【００２８】
この構成によれば、部品の成形状態のばらつきや空気調和機の運転状態で環境温度の変化等により部品が膨張・収縮した場合にも、接点の接触状態を確保することができ、安定させることが可能であり、一定の接点圧を確保することにより、フィルタ本体と保持枠との取り付け状態を維持・固定し、フィルタ本体の落下を防止できる。またフィルタ本体を取り外しする際も保持枠の取り付け角度にそって手前に引き出すことで容易であり、さらに保持枠の両サイドの壁にそってフィルタ本体を出し入れすることにより操作性を安定させることができ、シンプルな構成により、金型構成を複雑にせず、また成形状態の管理を容易化することが可能となるという効果を奏する。
【００２９】
また請求項３に記載の本発明は請求項２に記載の空気清浄装置において、フィルタ本体の後面に断面略三角形状の突起を形成し、前記フィルタ本体取り付け時に、前記保持枠の受け部の桟端部と前記突起表面が係合状態としたものである。
【００３０】
この構成によれば、部品の成形状態のばらつきや空気調和機の運転状態で環境温度の変化等により部品が膨張・収縮した場合にも、接点の接触状態を確保することができ、安定させることが可能であり、一定の接点圧を確保することにより、フィルタ本体と保持枠との取付状態を維持・固定し、さらにフィルタ本体の突起形状を保持枠の受け部の桟に引っ掛けることにより上下方向での固定力が加わり、フィルタ本体の凸形状と保持枠の壁に設けられた凹形状を廃止しても安定して前記フィルタ本体の落下を防止できる。また前記フィルタ本体を取り外しする際も前記保持枠の取り付け角度にそって手前に引き出すことで容易であり、保持枠の両サイドの壁にそってフィルタ本体を出し入れすることにより操作性を安定させ、さらに突起形状が保持枠の受け部の桟を乗り越える際にクリック感を得ることが可能である。またシンプルな構成により、さらに金型構成を簡単にでき、また成形状態の管理を容易化することが可能となるという効果を奏する。
【図面の簡単な説明】
【図１】  本発明の実施の形態における空気調和機の電機空気清浄装置の正面図
【図２】  同電気空気清浄装置の底面図
【図３】  同電気空気清浄装置の側断面図
【図４】  同電気空気清浄装置のフィルタ本体の斜視図
【図５】  本発明の実施の形態における空気調和機の斜視図
【図６】  従来の電気空気清浄装置の正面図
【図７】  同底面図
【符号の説明】
１  保持枠
１ａ  仕切壁
１ｂ  壁
１ｃ  凹部
１ｄ  受け部の桟
２  高圧電源部
３  高電圧端子
３ａ  イタバネ
４  アース端子
４ａ  コイルバネ
５  フィルタ本体
５ａ  接点部
５ｂ  凸部
５ｃ  側面上部
５ｄ  リブ
５ｅ  側面
５ｆ  側面上部
５ｇ  リブ
５ｈ  突起形状
６  室内機
【図１】
0003937783.tif 000002
【図２】
0003937783.tif 000003
【図３】
0003937783.tif 000004
【図４】
0003937783.tif 000005
【図５】
0003937783.tif 000006
【図６】
0003937783.tif 000007
【図７】
0003937783.tif 000008